(57)【要約】【課題】解析要求に応じて適切な解析手法を提示すること。【解決手段】解析手法提示システムは、複数種類の解析処理のそれぞれを複数の工程に区切った複数の解析モジュールと、機構の型式ごとに、複数の解析モジュールの一部を組み合わせて所定の解析処理を行うための複数の解析手法と、各解析モジュールと対応する機構の型式とを関連付けた解析モジュール情報と、所属する解析モジュールのリストと、型式とを解析手法ごとに関連付けた解析手法情報と、を記憶する記憶装置と、入力された型式に関連付けられた解析手法が解析手法情報の中に存在しない場合に、解析モジュール情報の中から入力された型式に対応する解析モジュールを特定する特定部と、入力された型式と異なる型式に関連付けられた解析手法におけるリストの一部を、特定された解析モジュールに置換する置換部と、置換部により解析モジュールが置換された解析手法を提示する提示部と、を備える。【選択図】図１
2018185752.tif 000002
【特許請求の範囲】
【請求項１】
設備が有する機構に応じた解析手法を提示する解析手法提示システムであって、
複数種類の解析処理のそれぞれを複数の工程に区切った複数の解析モジュールと、
前記機構の型式ごとに、前記複数の解析モジュールの一部を組み合わせて所定の解析処理を行うための複数の解析手法と、
各解析モジュールと対応する機構の型式とを関連付けた解析モジュール情報と、
所属する解析モジュールのリストと、前記型式とを解析手法ごとに関連付けた解析手法情報と、
を記憶する記憶装置と、
前記解析手法提示システムに入力された型式に関連付けられた解析手法が前記解析手法情報の中に存在しない場合に、前記解析モジュール情報の中から前記入力された型式に対応する解析モジュールを特定する特定部と、
前記入力された型式と異なる型式に関連付けられた解析手法における前記リストの一部を、前記特定された解析モジュールに置換する置換部と、
前記置換部により解析モジュールが置換された解析手法を提示する提示部と、
を備える解析手法提示システム。
【請求項２】
前記解析手法提示システムは、
前記設備及び前記記憶装置と接続された第１の情報処理装置と、
前記第１の情報処理装置及び前記記憶装置とネットワークを介して接続された第２の情報処理装置とを備え、
前記機構から取得された取得データに対して前記複数の解析手法のいずれかを適用する所定の解析処理は、前記第１の情報処理装置が行い、
前記特定部と、前記置換部とは、前記第２の情報処理装置に設けられている
請求項１に記載の解析手法提示システム。
【請求項３】
前記解析手法提示システムは、
前記機構から取得された取得データに対して前記提示された解析手法を適用した結果に応じてユーザから受け付けた適否情報が適切を示す場合に、前記提示された解析手法と、前記解析モジュールの置換後のリストと、前記入力された型式とを関連付けて前記解析手法情報として前記記憶装置に追加する追加部
をさらに備える請求項１又は２に記載の解析手法提示システム。
【請求項４】
前記解析手法提示システムは、
第１の機構から取得された第１の取得データに対して第１の解析手法を適用した結果に応じてユーザから受け付けた適否情報が適切を示す場合、当該第１の取得データと当該第１の解析手法とを関連付けて履歴情報として前記記憶装置に登録する履歴登録部をさらに備え、
前記特定部は、
前記登録後において、第２の機構から取得された第２の取得データに対して第２の解析手法を適用した際の前記適否情報が不適切を示す場合に、前記履歴情報を参照し、当該第２の取得データと出力データの傾向が類似する取得データに関連付けられた解析手法を特定し、当該特定された解析手法に所属する解析モジュールのうち当該類似する取得データの波形解析に関するモジュールを特定する
請求項１乃至３のいずれか１項に記載の解析手法提示システム。
【請求項５】
前記置換部は、
前記入力された型式に対応する解析モジュールを前記特定部において特定できない場合、前記入力された型式と異なる型式に関連付けられた解析手法における前記リストの一部を、外部から入力された新たな解析モジュールに置換する
請求項１乃至４のいずれか１項に記載の解析手法提示システム。
【請求項６】
設備が有する機構に応じた解析手法を提示する解析手法提示方法であって、
複数種類の解析処理のそれぞれを複数の工程に区切った複数の解析モジュールと、
前記機構の型式ごとに、前記複数の解析モジュールの一部を組み合わせて所定の解析処理を行うための複数の解析手法と、
各解析モジュールと対応する機構の型式とを関連付けた解析モジュール情報と、
所属する解析モジュールのリストと、前記型式とを解析手法ごとに関連付けた解析手法情報と、
を記憶する記憶装置を備える情報処理装置において、
前記情報処理装置に入力された型式に関連付けられた解析手法が前記解析手法情報の中に存在しない場合に、前記解析モジュール情報の中から前記入力された型式に対応する解析モジュールを特定し、
前記入力された型式と異なる型式に関連付けられた解析手法における前記リストの一部を、前記特定された解析モジュールに置換し、
前記解析モジュールが置換された解析手法を提示する、
解析手法提示方法。
【請求項７】
設備が有する機構に応じた解析手法を提示する解析手法提示プログラムであって、
複数種類の解析処理のそれぞれを複数の工程に区切った複数の解析モジュールと、
前記機構の型式ごとに、前記複数の解析モジュールの一部を組み合わせて所定の解析処理を行うための複数の解析手法と、
各解析モジュールと対応する機構の型式とを関連付けた解析モジュール情報と、
所属する解析モジュールのリストと、前記型式とを解析手法ごとに関連付けた解析手法情報と、
を記憶する記憶装置を備えるコンピュータに対して、
前記コンピュータに入力された型式に関連付けられた解析手法が前記解析手法情報の中に存在しない場合に、前記解析モジュール情報の中から前記入力された型式に対応する解析モジュールを特定する処理と、
前記入力された型式と異なる型式に関連付けられた解析手法における前記リストの一部を、前記特定された解析モジュールに置換する処理と、
前記解析モジュールが置換された解析手法を提示する処理と、
を実行させる解析手法提示プログラム。
【発明の詳細な説明】
【技術分野】
【０００１】
本発明は、解析手法提示システム、方法及びプログラムに関する。
【背景技術】
【０００２】
特許文献１には、設備等における異常の発生を予測するために作成された予測モデルの評価に関する技術が開示されている。特許文献１にかかる技術は、予測するイベント情報を予め特定しておくものである。
【先行技術文献】
【特許文献】
【０００３】
【特許文献１】特開２０１６−２１２６４２号公報
【発明の概要】
【発明が解決しようとする課題】
【０００４】
上述の通り、特許文献１にかかる技術は、作成された予測モデルの評価を行うものである。しかしながら、設備等の異常の発生を予測すべく、当該設備等から収集されたサンプリングデータを解析するための解析要求は多岐に渡る。そのため、必要とされる予測モデルは多数となるが、それらの全てを予め作成しておくことには限界がある。
【０００５】
本発明は、このような問題を解決するためになされたものであり、解析要求に応じて適切な解析手法を提示するための解析手法提示システム、方法及びプログラムを提供することを目的とする。
【課題を解決するための手段】
【０００６】
本発明の第１の態様にかかる解析手法提示システムは、設備が有する機構に応じた解析手法を提示する解析手法提示システムであって、複数種類の解析処理のそれぞれを複数の工程に区切った複数の解析モジュールと、前記機構の型式ごとに、前記複数の解析モジュールの一部を組み合わせて所定の解析処理を行うための複数の解析手法と、各解析モジュールと対応する機構の型式とを関連付けた解析モジュール情報と、所属する解析モジュールのリストと、前記型式とを解析手法ごとに関連付けた解析手法情報と、を記憶する記憶装置と、前記解析手法提示システムに入力された型式に関連付けられた解析手法が前記解析手法情報の中に存在しない場合に、前記解析モジュール情報の中から前記入力された型式に対応する解析モジュールを特定する特定部と、前記入力された型式と異なる型式に関連付けられた解析手法における前記リストの一部を、前記特定された解析モジュールに置換する置換部と、前記置換部により解析モジュールが置換された解析手法を提示する提示部と、を備える。
【０００７】
このように本態様では、機構からの取得データに対する解析処理を複数の工程にモジュール化しておき、解析目的や機構の型式に応じて柔軟に解析モジュールを組合せて解析パッケージ（解析手法）を生成することができる。特に、所望の解析手法が事前に登録されていない場合には、既存の解析モジュールの中から型式に合致するものを特定し、既存の解析手法のモジュールのリストを一部置換することで、適切な解析手法を追加生成することができる。そのため、解析要求に応じて適切な解析手法を提示することができる。
【０００８】
また、前記解析手法提示システムは、前記設備及び前記記憶装置と接続された第１の情報処理装置と、前記第１の情報処理装置及び前記記憶装置とネットワークを介して接続された第２の情報処理装置とを備え、前記機構から取得された取得データに対して前記複数の解析手法のいずれかを適用する所定の解析処理は、前記第１の情報処理装置が行い、前記特定部と、前記置換部は、前記第２の情報処理装置に設けられていると良い。これにより、入力された型式に関連付けられた解析手法が前記解析手法情報の中に存在する場合には、ネットワークを介した第２の情報処理装置へのアクセスをせずに第１の情報処理装置において解析処理を行うことができ、より速く解析処理に取り掛かることができる。
【０００９】
また、前記解析手法提示システムは、前記機構から取得された取得データに対して前記提示された解析手法を適用した結果に応じてユーザから受け付けた適否情報が適切を示す場合に、前記提示された解析手法と、前記解析モジュールの置換後のリストと、前記入力された型式とを関連付けて前記解析手法情報として前記記憶装置に追加する追加部をさらに備えることが望ましい。これにより、解析モジュールの新規な組合せとして提示された解析手法のうち、ユーザにより実績が認められた解析手法を蓄積することができる。そのため、以後の解析要求に応じて適切な解析手法として検索される確率が向上する。
【００１０】
また、前記解析手法提示システムは、第１の機構から取得された第１の取得データに対して第１の解析手法を適用した結果に応じてユーザから受け付けた適否情報が適切を示す場合、当該第１の取得データと当該第１の解析手法とを関連付けて履歴情報として前記記憶装置に登録する履歴登録部をさらに備え、前記特定部は、前記登録後において、第２の機構から取得された第２の取得データに対して第２の解析手法を適用した際の前記適否情報が不適切を示す場合に、前記履歴情報を参照し、当該第２の取得データと出力データの傾向が類似する取得データに関連付けられた解析手法を特定し、当該特定された解析手法に所属する解析モジュールのうち当該類似する取得データの波形解析に関するモジュールを特定すると良い。このように、ユーザにより適切な解析結果であると認められた解析手法とその際の取得データとを履歴情報として保存しておくことで、以後の解析処理における解析結果が適切でない場合に、過去の実績の中から、類似する波形データに対して適切な解析結果が得られた解析モジュールを特定することができる。これにより、妥当な結果を得られる可能性がある解析手法を提示することができる。
【００１１】
また、前記置換部は、前記入力された型式に対応する解析モジュールを前記特定部において特定できない場合、前記入力された型式と異なる型式に関連付けられた解析手法における前記リストの一部を、外部から入力された新たな解析モジュールに置換すると良い。これにより、新規な解析モジュールを容易に追加し、解析パッケージに用いることができる。
【００１２】
本発明の第２の態様にかかる解析手法提示方法は、設備が有する機構に応じた解析手法を提示する解析手法提示方法であって、複数種類の解析処理のそれぞれを複数の工程に区切った複数の解析モジュールと、前記機構の型式ごとに、前記複数の解析モジュールの一部を組み合わせて所定の解析処理を行うための複数の解析手法と、各解析モジュールと対応する機構の型式とを関連付けた解析モジュール情報と、所属する解析モジュールのリストと、前記型式とを解析手法ごとに関連付けた解析手法情報と、を記憶する記憶装置を備える情報処理装置において、前記情報処理装置に入力された型式に関連付けられた解析手法が前記解析手法情報の中に存在しない場合に、前記解析モジュール情報の中から前記入力された型式に対応する解析モジュールを特定し、前記入力された型式と異なる型式に関連付けられた解析手法における前記リストの一部を、前記特定された解析モジュールに置換し、前記解析モジュールが置換された解析手法を提示する。
【００１３】
また、本発明の第３の態様にかかる解析手法提示プログラムは、設備が有する機構に応じた解析手法を提示する解析手法提示プログラムであって、複数種類の解析処理のそれぞれを複数の工程に区切った複数の解析モジュールと、前記機構の型式ごとに、前記複数の解析モジュールの一部を組み合わせて所定の解析処理を行うための複数の解析手法と、各解析モジュールと対応する機構の型式とを関連付けた解析モジュール情報と、所属する解析モジュールのリストと、前記型式とを解析手法ごとに関連付けた解析手法情報と、を記憶する記憶装置を備えるコンピュータに対して、前記コンピュータに入力された型式に関連付けられた解析手法が前記解析手法情報の中に存在しない場合に、前記解析モジュール情報の中から前記入力された型式に対応する解析モジュールを特定する処理と、前記入力された型式と異なる型式に関連付けられた解析手法における前記リストの一部を、前記特定された解析モジュールに置換する処理と、前記解析モジュールが置換された解析手法を提示する処理と、を実行させる。これら第２の態様及び第３の態様であっても、第１の態様と同様の効果を期待できる。
【発明の効果】
【００１４】
本発明により、解析要求に応じて適切な解析手法を提示するための解析手法提示システム、方法及びプログラムを提供することができる。
【図面の簡単な説明】
【００１５】
【図１】本発明の実施の形態１にかかる解析手法提示システムを含む全体構成を示すブロック図である。
【図２】本発明の実施の形態１にかかる解析パッケージ及び解析モジュールの概念を説明するための図である。
【図３】本発明の実施の形態１にかかる解析パッケージ及び解析モジュールの例を示す図である。
【図４】本発明の実施の形態１にかかる解析手法提示処理の流れを示すフローチャートである。
【図５】本発明の実施の形態１にかかる解析手法提示処理の流れを示すフローチャートである。
【発明を実施するための形態】
【００１６】
以下では、上述した各態様を含む本発明を適用した具体的な実施の形態について、図面を参照しながら詳細に説明する。各図面において、同一要素には同一の符号が付されており、説明の明確化のため、必要に応じて重複説明は省略する。
【００１７】
＜発明の実施の形態１＞
図１は、本発明の実施の形態１にかかる解析手法提示システム２を含む全体構成を示すブロック図である。解析手法提示システム２は、設備１が有する機構Ａ１１、機構Ｂ１２、機構Ｃ１３、・・・に応じた解析手法を提示する情報システムである。ここで、「機構」とは、例えば、特定部位のモータやベアリング等である。また、例えば、機構Ａ１１は、同種の機構における複数の型式の中の一つである型式Ｘであるものとする。また、機構Ｂ１２は、機構Ａ１１と同一又は異なる機構における複数の型式の中の一つである型式Ｙであるものとする。また、設備１が有する機構には、機構Ｃ１３のように所定の型式に寄らない機構を含んでも構わない。また、以下の説明では、「解析手法」と「解析パッケージ」とを同義で用いるものとする。
【００１８】
解析手法提示システム２は、データ解析装置２１と、解析手法提示装置２２と、記憶装置２３とを備える。データ解析装置２１は、設備１と接続され、また、ネットワークＮを介して解析手法提示装置２２及び記憶装置２３と接続されている。尚、データ解析装置２１は、ネットワークＮを介さずに解析手法提示装置２２及び記憶装置２３と接続されていても構わない。データ解析装置２１は、機構Ａ１１等から取得された取得データに対して複数の解析手法のいずれかを適用して所定の解析処理を行う情報処理装置である。ここで、機構Ａ１１等から取得される取得データとは、例えば、センサ（不図示）等による検出値を含む時系列データである。そして、データ解析装置２１は、各機構から取得された取得データを内部又は外部の記憶装置（不図示）に保持するものとする。尚、データ解析装置２１は、例えば、データ解析ソフトを実行可能なエッジ型解析端末であってもよい。
【００１９】
記憶装置２３は、不揮発性の記憶装置である。記憶装置２３は、複数の解析モジュール２３１と、複数の解析パッケージ２３２と、解析モジュール情報２３３と、解析パッケージ情報２３４と、履歴情報２３５を記憶する。複数の解析モジュール２３１は、複数種類の解析処理のそれぞれを複数の工程に区切ったプログラムモジュールである。工程とは、例えば、入力工程、解析工程、判定工程、出力工程等である。そして、各解析モジュール２３１は、いずれかの工程用に作成されている。また、各解析モジュール２３１は、入出力インタフェースが統一されており、いずれの解析モジュール２３１も他の解析モジュールと前処理又は後処理となり得るように実装されているものとする。
【００２０】
複数の解析パッケージ２３２は、機構の型式ごとに、複数の解析モジュール２３１の一部を組み合わせて所定の解析処理を行うための解析手法の一例である。つまり、解析パッケージ２３２は、複数の解析モジュール２３１の一部の組合せであり、解析モジュールの実行順序が定義されたものである。
【００２１】
図２は、本発明の実施の形態１にかかる解析パッケージ及び解析モジュールの概念を説明するための図である。図２では、解析パッケージ２３２の一例としてベアリング傷診断パッケージｐ１を挙げたものである。ベアリング傷診断パッケージｐ１には、入力モジュールｍａ、高速部データ抽出モジュールｍｂ１、ローパスフィルタモジュールｍｂ２、ＦＦＴ（Fast Fourier Transform）モジュールｍｂ３、平均化モジュールｍｂ４、ベアリング判定モジュールｍｃ及び出力モジュールｍｄが所属する。そして、データ解析装置２１は、ベアリング傷診断パッケージｐ１を実行した場合、図２の左から右の向きで各モジュールの処理を行う。ここで、入力モジュールｍａは入力工程である。また、高速部データ抽出モジュールｍｂ１、ローパスフィルタモジュールｍｂ２、ＦＦＴモジュールｍｂ３及び平均化モジュールｍｂ４は解析工程である。また、ベアリング判定モジュールｍｃは判定工程である。また、出力モジュールｍｄは出力工程である。尚、解析工程には、高速部データ抽出モジュールｍｂ１とローパスフィルタモジュールｍｂ２の間に絶対値算出モジュールを含めても構わない。ここで、ベアリング判定モジュールｍｃは、所定の型式に対応したものである。よって、解析対象の機構の型式が異なる場合には、他のベアリング判定モジュールｍｃが適することとなる。つまり、ベアリング判定モジュールｍｃは、複数の型式のそれぞれに対応して、複数存在するものとする。そして、ベアリング傷診断パッケージｐ１自体も、ベアリング判定モジュールｍｃが対応する型式に依存することとなる。尚、ローパスフィルタモジュールｍｂ２は、型式に依存しない解析モジュールといえるが、様々なフィルタ手法を取り得る。そのため、ローパスフィルタモジュールｍｂ２は、様々な機構や型式に適用可能な汎用的なモジュールが複数存在するものとする。
【００２２】
図３は、本発明の実施の形態１にかかる解析パッケージ及び解析モジュールの例を示す図である。尚、図３の「-」は該当する解析モジュールがないことを意味する。また、図３の上矢印は、上に記載された解析モジュールと同じであることを意味する。ここでは、例として、８個の解析パッケージと１８個の解析モジュールを挙げているが、これらに限定されない。特に、「ベアリング傷診断」パッケージの判定工程の「ベアリング判定」モジュールは、型式ごとに複数存在するものとする。また、それに合わせて、「ベアリング傷診断」パッケージも、「ベアリング判定」モジュールのみが型式ごとに異なる複数のパッケージが存在するものとする。つまり、同じ解析目的であっても型式に応じて複数種類のパッケージが存在し得るものとする。但し、全ての型式や全てのモジュールの組合せのパッケージは予め登録されているわけではないものとする。
【００２３】
図１に戻り説明を続ける。記憶装置２３の解析モジュール情報２３３は、各解析モジュールと、解析モジュールに対応する機構の型式とを関連付けた管理情報である。解析モジュール情報２３３としては、例えば、解析モジュールＩＤ、対応する機構の型式、工程、解析処理の概要説明等が含まれるものとする。また、解析モジュール情報２３３には、解析処理のアルゴリズムの種別等が含まれていても良い。尚、解析モジュール情報２３３には、型式が必須ではないものとする。つまり、型式に依存しない解析モジュールが含まれていても良い。
【００２４】
解析パッケージ情報２３４は、所属する解析モジュールのリストと、型式とを解析パッケージごとに関連付けた管理情報である。解析パッケージ情報２３４としては、例えば、解析パッケージＩＤ、解析目的、対応する機構の型式、所属モジュールリスト等が含まれるものとする。また、所属モジュールリストには、所属する解析モジュールのＩＤの組合せとともに、処理順序も規定されているものとする。
【００２５】
履歴情報２３５は、解析対象の元データ（取得データ）と、当該取得データの解析処理に適用した解析パッケージとを関連付けた情報である。尚、解析対象の元データは代表値のみでも構わない。ここで、取得データは、所定のサンプリング周期により収集された波形データであるといえる。また、履歴情報２３５には、これらに加えて、各解析モジュールの処理前後のデータを含めても構わない。例えば、ローパスフィルタをかける前後のデータを含めても構わない。また、履歴情報２３５には、これらに加えて、解析処理の最終結果を含めても構わない。さらに、履歴情報２３５には、これらに加えて、解析処理の最終結果に対するユーザによる適否の判断結果を含めても構わない。例えば、解析結果により機構の異常の予兆が検出された場合には、ユーザは当該解析結果を適切と判断する。言い換えると、ユーザは、解析対象の機構の型式における所望の解析目的に対して、当該解析パッケージが適切であると判断する。または、解析結果により機構の異常の予兆がないと認められる場合にも、ユーザは当該解析結果を適切と判断する。一方、解析結果により機構の異常の予兆が判断できない場合には、ユーザは当該解析結果を不適切と判断する。
【００２６】
解析手法提示装置２２は、検索部２２０と、特定部２２１と、置換部２２２と、提示部２２３と、追加部２２４と、履歴登録部２２５とを備える情報処理装置である。検索部２２０は、ユーザから解析目的及び解析対象の機構の型式の入力を受け付け、解析パッケージ情報２３４の中から、入力された解析目的及び型式に該当する解析パッケージを検索する。特定部２２１は、検索部２２０に入力された型式に関連付けられた解析パッケージが解析パッケージ情報２３４の中に存在しない場合に、解析モジュール情報２３３の中から、前記入力された型式に対応する解析モジュールを特定する。置換部２２２は、検索部２２０に入力された型式と異なる型式に関連付けられた解析パッケージにおける所属モジュールリストの一部を、特定部２２１により特定された解析モジュールに置換する。提示部２２３は、置換部２２２により解析モジュールが置換された解析パッケージをユーザに提示する。例えば、提示部２２３は、解析手法提示装置２２の表示装置（不図示）に提示対象の解析パッケージに関する情報を表示する。
【００２７】
また、解析手法提示装置２２は、ユーザから、提示部２２３により提示された解析パッケージによる解析処理の指示を受け付けて、データ解析装置２１に対して当該解析パッケージを適用した所定の解析処理の実行を指示する。そして、解析手法提示装置２２は、解析結果をユーザに提示する。例えば、解析手法提示装置２２は、表示装置に解析結果を表示する。そして、解析手法提示装置２２は、ユーザから解析結果に応じた適否情報を受け付ける。そして、解析手法提示装置２２の追加部２２４は、ユーザから受け付けた適否情報が適切を示す場合に、提示部２２３により提示された解析パッケージと、解析モジュールを置換した後の所属モジュールリストと、検索部２２０に入力された型式とを関連付けて解析パッケージ情報２３４として記憶装置２３に追加する。これにより、解析モジュールの新規な組合せとして提示された解析手法のうち、ユーザにより実績が認められた解析手法を蓄積することができる。そのため、以後の解析要求に応じて適切な解析手法として検索される確率が向上する。
【００２８】
また、履歴登録部２２５は、ユーザから受け付けた適否情報が適切を示す場合、（第１の機構から取得された）第１の取得データと（第１の取得データの解析に適用された）第１の解析パッケージとを関連付けて履歴情報２３５として記憶装置２３に登録する。また、特定部２２１は、履歴情報２３５の登録後において、第２の機構から取得された第２の取得データに対して第２の解析パッケージを適用した際の適否情報が不適切を示す場合に、履歴情報２３５を参照し、当該第２の取得データと出力データの傾向（例えば、波形）が類似する取得データに関連付けられた解析パッケージを特定する。そして、特定部２２１は、当該特定された解析パッケージに所属する解析モジュールのうち当該類似する取得データの波形解析に関するモジュールを特定する。波形解析に関するモジュールとは例えば、ローパスフィルタモジュールである。つまり、当初入力された解析目的や型式に合致する解析パッケージにより適切な結果が得られなかった場合でも、過去に別の解析目的や別の型式に対して良好な結果が得られた実績のあるローパスフィルタモジュールを、解析対象の波形データの類似関係により特定することができる。ここで、波形データの類似判定は、既存のパターンマッチング等の手法を用いることができる。
【００２９】
言い換えると、ユーザにより適切な解析結果であると認められた解析手法とその際の取得データとを履歴情報として保存しておくことで、以後の解析処理における解析結果が適切でない場合に、過去の実績の中から、類似する波形データに対して適切な解析結果が得られた解析モジュールを特定することができる。これにより、妥当な結果を得られる可能性がある解析手法を提示することができる。
【００３０】
尚、置換部２２２は、検索部２２０に入力された型式に対応する解析モジュールを特定部２２１において特定できない場合、検索部２２０に入力された型式と異なる型式に関連付けられた解析パッケージにおける所属モジュールリストの一部を、外部から入力された新たな解析モジュールに置換する。これにより、新規な解析モジュールを容易に追加し、解析パッケージに用いることができる。
【００３１】
図４及び図５は、本発明の実施の形態１にかかる解析手法提示処理の流れを示すフローチャートである。まず、検索部２２０は、ユーザから、解析目的及び解析対象の機構の型式等の入力を受け付ける。そして、検索部２２０は、入力された解析目的及び機構の型式に基づき解析パッケージ情報２３４の中から解析パッケージを検索する（Ｓ１０１）。次に、検索部２２０は、該当する解析パッケージが存在するか否かを判定する（Ｓ１０２）。該当する解析パッケージが存在する場合、提示部２２３は、該当する解析パッケージを表示装置に表示する。そして、解析手法提示装置２２は、ユーザから、提示部２２３により提示された解析パッケージによる解析処理の指示を受け付けて、データ解析装置２１に対して解析対象の機構及び該当する解析パッケージを指定した解析処理の指示を行う。そして、データ解析装置２１は、解析手法提示装置２２からの指示に応じて解析対象の機構の取得データに対して、解析手法提示装置２２から指定された解析パッケージによる解析処理を実行し（Ｓ１０３）、解析結果を解析手法提示装置２２へ出力する。
【００３２】
解析手法提示装置２２は、データ解析装置２１からの解析結果を表示装置に表示し、ユーザから解析結果に対する適否情報の入力を受け付ける。解析手法提示装置２２は、ユーザから受け付けた適否情報が適切を示すか否かを判定する（Ｓ１０４）。適否情報が適切を示す場合、つまり、解析結果が適切である場合、履歴登録部２２５は、解析対象の取得データと、解析結果と、適用した解析パッケージとの関連付けを履歴情報２３５として記憶装置２３に登録する（Ｓ１０５）。
【００３３】
一方、ステップ１０４において、適否情報が不適切を示す場合、つまり、解析結果が不適切である場合、特定部２２１は、履歴情報２３５の中から、解析対象の取得データと類似する波形に適用された解析モジュールを検索する（Ｓ１０６）。すなわち、まず、特定部２２１は、履歴情報２３５の中から、今回の解析対象の取得データ（例えば、第２の取得データ）の波形と類似する波形データを検索する。そして、特定部２２１は、該当する波形データ（例えば、第１の取得データ）に関連付けられた解析パッケージを特定する。続いて、特定部２２１は、解析モジュール情報２３３及び解析パッケージ情報２３４を参照し、当該特定された解析パッケージの所属モジュールリストのうち波形解析に関するモジュールを特定する。その後、後述するステップＳ１０８へ進む。
【００３４】
また、ステップＳ１０２において、該当する解析パッケージが存在しない場合、特定部２２１は、解析モジュール情報２３３の中から、検索部２２０に入力された型式と一致する解析モジュールを検索する（Ｓ１０７）。
【００３５】
そして、ステップＳ１０６又はＳ１０７の後、解析手法提示装置２２は、該当する解析モジュールが存在するか否かを判定する（Ｓ１０８）。該当する解析モジュールが存在する場合、置換部２２２は、既存の解析パッケージに属する一部の解析モジュールを、該当する解析モジュールに置換する。そして、提示部２２３は、当該置換後の解析パッケージを新たな解析パッケージとして提示する（Ｓ１０９）。例えば、まず、特定部２２１は、解析パッケージ情報２３４を参照し、検索部２２０に入力された解析目的が一致し、かつ、検索部２２０に入力された型式が異なる解析パッケージを特定する。そして、特定部２２１は、解析モジュール情報２３３及び解析パッケージ情報２３４を参照し、前記特定した解析パッケージの所属モジュールリストのうち、検索部２２０に入力された型式と異なる解析モジュールを特定する。そして、置換部２２２は、当該型式が異なる解析モジュールを、当該入力された型式と一致する解析モジュール（ステップＳ１０７で特定された解析モジュール）へ置換する。例えば、置換部２２２は、特定部２２１が特定した解析パッケージの所属モジュールリストのモジュールＩＤを更新する。そして、提示部２２３は、更新後の所属モジュールリストを含めて新たな解析パッケージとして表示装置に表示する。
【００３６】
また、ステップＳ１０８において、該当する解析モジュールが存在しない場合、解析手法提示装置２２は、その旨を表示装置に表示する。これに応じてユーザは、新たな解析モジュールを作成できる。そして、解析手法提示装置２２は、ユーザから新たに作成された解析モジュールの入力を受け付ける（Ｓ１１３）。そして、置換部２２２は、既存の解析パッケージに属する一部の解析モジュールを、前記入力された解析モジュールに置換する。そして、提示部２２３は、当該置換後の解析パッケージを新たな解析パッケージとして提示する（Ｓ１１４）。尚、ステップＳ１１４の詳細な処理は、ステップＳ１０９と同等であるため、説明を省略する。
【００３７】
ステップＳ１０９又はＳ１１４の後、解析手法提示装置２２は、ユーザから、提示部２２３により提示された解析パッケージによる解析処理の指示を受け付けて、データ解析装置２１に対して解析対象の機構及び該当する解析パッケージを指定した解析処理の指示を行う。そして、データ解析装置２１は、解析手法提示装置２２からの指示に応じて解析対象の機構の取得データに対して、解析手法提示装置２２により指定された解析パッケージによる解析処理を実行し（Ｓ１１０）、解析結果を解析手法提示装置２２へ出力する。
【００３８】
解析手法提示装置２２は、データ解析装置２１からの解析結果を表示装置に表示し、ユーザから解析結果に対する適否情報の入力を受け付ける。解析手法提示装置２２は、ユーザから受け付けた適否情報が適切を示すか否かを判定する（Ｓ１１１）。適否情報が適切を示す場合、つまり、解析結果が適切である場合、追加部２２４は、提示部２２３により提示された解析パッケージを記憶装置２３に追加する（Ｓ１１２）。その後、ステップＳ１０５へ進む。
【００３９】
一方、ステップＳ１１１において、適否情報が不適切を示す場合、つまり、解析結果が不適切である場合、ステップＳ１１３へ進み、処理を繰り返す。以上が本発明の実施の形態１にかかる解析手法提示処理の一例である。
【００４０】
尚、上述した通り、様々な種類や型式がある機構に対する解析要求は多岐に渡り、事前に解析パッケージを準備しておくには限界がある。そこで、本発明では、機構からの取得データに対する解析処理を複数の工程にモジュール化しておき、解析目的や機構の型式に応じて柔軟に解析モジュールを組合せて解析パッケージ（解析手法）を生成するようにしたものである。特に、所望の解析手法が事前に登録されていない場合には、既存の解析モジュールの中から型式に合致するものを特定し、既存の解析手法のモジュールのリストを一部置換することで、適切な解析手法を追加生成することができる。そのため、解析要求に応じて適切な解析手法を提示することができる。
【００４１】
言い換えると、解析モジュールに汎用性を持たせる（入出力ＩＦの統一、規定）ことで、解析モジュールの組合せに柔軟性を持たせ、将来的な解析要求に備えるものである。そのため、解析要求に応じた解析モジュールの未知の組合せを容易に提示することができる。よって、機構の取得データの解析について詳しく知らない人であっても、適切な解析パッケージを適用することができる。
【００４２】
尚、本発明の実施の形態にかかる解析手法提示システム２は、次のように変形してもよい。例えば、データ解析装置２１（第１の情報処理装置）内の記憶装置に解析モジュール２３１、解析パッケージ２３２、解析モジュール情報２３３及び解析パッケージ情報２３４を記憶しておく。そして、データ解析装置２１は、検索部２２０及び提示部２２３を備えて、ユーザに対する検索インタフェースを提供する。一方、解析手法提示装置２２（第２の情報処理装置）は、特定部２２１及び置換部２２２を備える。この場合において、データ解析装置２１は、ユーザから型式及び解析目的を受け付け、検索部２２０により内部の記憶装置内で検索を行う。そして、ユーザから入力された型式に関連付けられた解析パッケージが解析パッケージ情報の中に存在する場合には、引き続き、第１の情報処理装置において解析処理を行うことができる。つまり、この場合には、ネットワークＮを介した第２の情報処理装置へのアクセスをする必要がなくなる。そのため、より速く解析処理に取り掛かることができるという効果を奏する。また、簡易な検索処理を第１の情報処理装置側で行い、該当する解析モジュールの特定及び置換処理については第２の情報処理装置側で行うことで、負荷分散を図ることもできる。
【００４３】
尚、本発明は上記実施の形態に限られたものではなく、趣旨を逸脱しない範囲で適宜変更することが可能である。例えば、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【００４４】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、ＤＶＤ（Digital Versatile Disc）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００４５】
１  設備
１１  機構Ａ
１２  機構Ｂ
１３  機構Ｃ
２  解析手法提示システム
２１  データ解析装置
２２  解析手法提示装置
２２０  検索部
２２１  特定部
２２２  置換部
２２３  提示部
２２４  追加部
２２５  履歴登録部
２３  記憶装置
２３１  解析モジュール
２３２  解析パッケージ
２３３  解析モジュール情報
２３４  解析パッケージ情報
２３５  履歴情報
Ｎ  ネットワーク
ｐ１  ベアリング傷診断パッケージ
ｍａ  入力モジュール
ｍｂ１  高速部データ抽出モジュール
ｍｂ２  ローパスフィルタモジュール
ｍｂ３  ＦＦＴモジュール
ｍｂ４  平均化モジュール
ｍｃ  ベアリング判定モジュール
ｍｄ  出力モジュール
【図１】
2018185752.tif 000003
【図２】
2018185752.tif 000004
【図３】
2018185752.tif 000005
【図４】
2018185752.tif 000006
【図５】
2018185752.tif 000007